(57)【要約】【課題】視聴又は録画したい番組の予約時間が一部あるいは完全に重複した場合に、重複した番組の両方の番組を視聴又は録画を可能にする。【解決手段】記憶部５に、少なくとも放送日、チャンネル番号、予約開始時間、予約終了時間の予約情報を記憶した予約リストを保持する。予約時間重複検出部１５にて、ユーザーによって新しく視聴又は録画するよう指示された新規予約番組と、記憶部５に格納された予約リスト内の各既予約済番組に対し、予約時間の重複を調べ、重複があった場合は、予約時間設定画面を開く。ユーザーによって指示された予約時間を読み取り部１７で読み取り、変更部１７は読み取った内容に応じて記憶部に格納された予約リストの内容を更新する。更新された予約リストの内容に従い、テレビジョン放送信号の視聴予約および録画予約を実行する。【選択図】        図１
2004165963.tif 000002
【特許請求の範囲】
【請求項１】
ユーザーにより設定された視聴予約番組又は録画予約番組の開始時間に至ったとき、該当する番組を視聴状態又は録画状態とするためのテレビジョン放送信号の番組予約方法において、
ユーザーによって設定された視聴予約番組及び／又は録画予約番組の予約リストを保持し、
前記予約リストに登録された既予約済番組の各予約時間と、ユーザーにより新たに追加された視聴予約番組又は録画予約番組である新規予約番組の予約時間との重複を検出し、
前記既予約済番組の内、前記重複が検出された重複番組を保持し、
前記重複番組と前記新規予約番組との各予約時間帯を明示する予約時間設定画面を表示し、
ユーザーによって前記重複を解消すべく設定された、前記重複番組と前記新規予約番組との新たな予約時間を反映させるべく前記予約リストを変更することを特徴とするテレビジョン放送信号の番組予約方法。
【請求項２】
前記予約リストが、前記既予約済番組の放送日、チャンネル番号、予約開始時間、予約終了時間、前記既予約済番組を特定するための第１のフラグ、及び視聴予約か録画予約かを識別するための第２のフラグを含むことを特徴とする請求項１記載のテレビジョン放送信号の番組予約方法。
【請求項３】
前記予約リストが、更に、前記既予約済番組の番組名を含むことを特徴とする請求項２記載のテレビジョン放送信号の番組予約方法。
【請求項４】
前記重複番組の番組名を前記予約リストから読み取り、前記新規予約番組の番組名と共に前記予約時間設定画面に表示することを特徴とする請求項３記載のテレビジョン放送信号の番組予約方法。
【請求項５】
前記新規予約番組の予約時間帯と前記重複番組の予約時間帯とを、前記予約時間設定画面に、同一の時間軸に則って帯状に並列表示することを特徴とする請求項１記載のテレビジョン放送信号の番組予約方法。
【請求項６】
前記新規予約番組の予約時間帯及び前記重複番組の各予約時間帯の視聴又は録画が行われる期間を、視聴予約か録画予約に応じて識別可能に表示したことを特徴とする請求項５記載のテレビジョン放送信号の番組予約方法。
【請求項７】
前記新規予約番組と前記重複番組の内、一方の予約終了時間及び他方の予約開始時間に相当する振分け時刻を、前記予約時間設定画面に表示することを特徴とする請求項５記載のテレビジョン放送信号の番組予約方法。
【請求項８】
前記振分け時刻を、並列表示された前記新規予約番組の予約時間帯と前記重複番組の予約時間帯とが前記時間軸上で重複する時間領域内において、ユーザーによって設定可能としたことを特徴とする請求項７記載のテレビジョン放送信号の番組予約方法。
【請求項９】
前記振分け時刻に対応する前記時間軸上の位置に、並列表示された前記新規予約番組の予約時間帯と前記重複番組の予約時間帯とに交差するスライダーを表示したことを特徴とする請求項８記載のテレビジョン放送信号の番組予約方法。
【請求項１０】
前記振分け時刻に基づいて前記新たな予約時間を設定することを特徴とする請求項７乃至９の何れかに記載のテレビジョン放送信号の番組予約方法。
【請求項１１】
ユーザーにより設定された視聴予約番組又は録画予約番組の開始時間に至ったとき、該当する番組を自動的に、視聴手段によって視聴状態に、又は蓄積手段によって録画状態にするためのテレビジョン放送信号の番組予約装置において、
ユーザーによって設定された視聴予約番組及び／又は録画予約番組の予約リストを保持する記憶手段と、
前記予約リストに登録された既予約済番組の各予約時間と、ユーザーにより新たに追加された視聴予約番組又は録画予約番組である新規予約番組の予約時間との重複を検出する予約時間重複検出手段と、
前記既予約済番組の内、前記重複が検出された重複番組を保持する重複番組保持手段と、
前記重複番組と前記新規予約番組との各予約時間帯を明示する予約時間設定画面を前記視聴手段によって表示させるべく信号処理する信号処理手段と、
ユーザーによって前記重複を解消すべく設定された、前記重複番組と前記新規予約番組との新たな予約時間を反映させるべく前記予約リストを変更する変更手段と
を有することを特徴とするテレビジョン放送信号の番組予約装置。
【請求項１２】
前記予約リストが、前記既予約済番組の放送日、チャンネル番号、予約開始時間、予約終了時間、前記既予約済番組を特定するための第１のフラグ、及び視聴予約か録画予約かを識別するための第２のフラグを含むことを特徴とする請求項１１記載のテレビジョン放送信号の番組予約装置。
【請求項１３】
前記予約リストが、更に、前記既予約済番組の番組名を含むことを特徴とする請求項１２記載のテレビジョン放送信号の番組予約装置。
【請求項１４】
前記重複番組の番組名を前記予約リストから読み取り、前記新規予約番組の番組名と共に前記予約時間設定画面に表示することを特徴とする請求項１３記載のテレビジョン放送信号の番組予約装置。
【請求項１５】
前記新規予約番組の予約時間帯と前記重複番組の予約時間帯とを、前記予約時間設定画面に、同一の時間軸に則って帯状に並列表示することを特徴とする請求項１１記載のテレビジョン放送信号の番組予約装置。
【請求項１６】
前記新規予約番組の予約時間帯及び前記重複番組の各予約時間帯の視聴又は録画が行われる期間を、視聴予約か録画予約に応じて識別可能に表示したことを特徴とする請求項１５記載のテレビジョン放送信号の番組予約装置。
【請求項１７】
前記新規予約番組と前記重複番組の内、一方の予約終了時間及び他方の予約開始時間に相当する振分け時刻を、前記予約時間設定画面に表示させることを特徴とする請求項１５記載のテレビジョン放送信号の番組予約装置。
【請求項１８】
前記振分け時刻をユーザーによって設定する調整手段を設け、並列表示された前記新規予約番組の予約時間帯と前記重複番組の予約時間帯とが前記時間軸上で重複する時間領域内においてのみ、前記振分け時刻を設定可能としたことを特徴とする請求項１７記載のテレビジョン放送信号の番組予約装置。
【請求項１９】
前記振分け時刻を読み取る読み取り手段を設け、読み取った前記振分け時刻に基づいて前記新たな予約時間を設定することを特徴とする請求項１７又は１８記載のテレビジョン放送信号の番組予約装置。
【請求項２０】
請求項１１乃至１９の何れかのテレビジョン放送信号の番組予約装置と、
前記蓄積手段と
を有することを特徴とする録画再生装置。
【発明の詳細な説明】
【０００１】
【発明の属する技術分野】
本発明は、テレビジョン放送信号の視聴や録画の予約方法に関し、特に、視聴又は録画したい番組の各予約時間が重複する場合における、テレビジョン放送信号の視聴予約や録画予約を行うための方法及び装置に関する。
【０００２】
【従来の技術】
この種の従来の録画方法として以下のように行なうものがある。即ち、予約録画の設定データに、個々の予約の有効性を示すフラグを追加して、メモリに格納し、有効フラグを伴う予約の録画を実行する。同じ時間帯の別番組や、放送時間がずれた番組のための、単発又は臨時の録画予約の際は、日時が重複する先約のフラグを暫定的に無効化して、単発又は臨時の録画を優先して予約するものである。（例えば、特許文献１参照）。
【０００３】
【特許文献１】
特開平１０−３４１３８１号公報（図４）
【０００４】
【発明が解決しようとする課題】
しかしながら、このような録画予約装置においては、予約時間が重複する番組を録画する場合、重複した番組のどちらか一方を優先して録画し、もう一方は録画できないようになっているため、ユーザーは両方の番組を録画したいと思っても、それができない問題がある。
【０００５】
本発明は以上のような問題点を解決するためになされたもので、ユーザーが番組の視聴予約又は録画予約設定を行う際に、万が一、予約時間が重複した場合には、予約時間が重複した番組のうち、先に放送が開始する視聴予約番組又は録画予約番組の終了時間と、後から放送が開始する視聴予約番組又は録画予約番組の開始時間を、番組の放送時間によらず、ユーザーが自由にかつ簡単な操作で調整し設定できる、テレビジョン放送信号の番組予約方法ならびに装置を提供することにある。
【０００６】
【課題を解決するための手段】
本発明のテレビジョン放送信号の番組予約方法は、
ユーザーにより設定された視聴予約番組又は録画予約番組の開始時間に至ったとき、該当する番組を視聴状態又は録画状態とするためのテレビジョン放送信号の番組予約方法において、
ユーザーによって設定された視聴予約番組及び／又は録画予約番組の予約リストを保持し、前記予約リストに登録された既予約済番組の各予約時間と、ユーザーにより新たに追加された視聴予約番組又は録画予約番組である新規予約番組の予約時間との重複を検出し、前記既予約済番組の内、前記重複が検出された重複番組を保持し、前記重複番組と前記新規予約番組との各予約時間帯を明示する予約時間設定画面を表示し、
ユーザーによって前記重複を解消すべく設定された、前記重複番組と前記新規予約番組との新たな予約時間を反映させるべく前記予約リストを変更することを特徴とする。
【０００７】
また、本発明によるテレビジョン放送信号の番組予約装置は、
ユーザーにより設定された視聴予約番組又は録画予約番組の開始時間に至ったとき、該当する番組を自動的に、視聴手段によって視聴状態に、又は蓄積手段によって録画状態にするためのテレビジョン放送信号の番組予約装置において、
ユーザーによって設定された視聴予約番組及び／又は録画予約番組の予約リストを保持する記憶手段と、前記予約リストに登録された既予約済番組の各予約時間と、ユーザーにより新たに追加された視聴予約番組又は録画予約番組である新規予約番組の予約時間との重複を検出する予約時間重複検出手段と、前記既予約済番組の内、前記重複が検出された重複番組を保持する重複番組保持手段と、前記重複番組と前記新規予約番組との各予約時間帯を明示する予約時間設定画面を前記視聴手段によって表示させるべく信号処理する信号処理手段と、ユーザーによって前記重複を解消すべく設定された、前記重複番組と前記新規予約番組との新たな予約時間を反映させるべく前記予約リストを変更する変更手段と
を有することを特徴とする。
【０００８】
更に、本発明による録画再生装置は、
上記したテレビジョン放送信号の番組予約装置と、前記蓄積手段と
を有することを特徴とする。
【０００９】
【発明の実施の形態】
実施の形態１．
図１は、本発明のテレビジョン放送信号の番組予約装置を備えた実施の形態１の録画機能付のテレビジョン受信機２０の構成を示すブロック図である。
【００１０】
このテレビジョン受像機２０は、例えば、地上波テレビジョン放送、衛星テレビジョン放送等のテレビジョン番組の映像と音声をリアルタイムで表示・出力するだけでなく、ユーザーの操作に従ってテレビジョン番組を録画・再生することができるものである。尚、簡単のため、図１のブロック図では、音声信号系の信号経路を省略している。
【００１１】
このテレビジョン受像機２０において、受光部８は、ユーザーの操作によってリモートコントローラ（以下リモコンと記す）７から出力される選局コマンド、録画予約コマンド、再生コマンド等の各種コマンドを受信し、制御部４に出力する。
【００１２】
制御部４は、ＣＰＵ（Ｃｅｎｔｒａｌ  Ｐｒｏｃｅｓｓｉｎｇ  Ｕｎｉｔ）、演算処理などを行うＲＡＭ（Ｒａｎｄｏｍ  Ａｃｃｅｓｓ  Ｍｅｍｏｒｙ）、及び制御用プログラムなどが格納されているＲＯＭ（Ｒｅａｄ  Ｏｎｌｙ  Ｍｅｍｏｒｙ）等から構成されている。そして、ＲＯＭに格納されている制御用プログラムを読み出し、読み出した制御用プログラムにより、予約時間重複検出手段に相当する予約時間重複検出部１５、重複番組保持手段に相当する重複番組保持部１６、読み取り手段に相当する読み取り部１７、及び変更手段に相当する変更部１８の各機能を実現し、更にリモコン７から送信されるコマンド情報に基づき、テレビジョン受像機２０の全体を制御する。
【００１３】
次に、テレビジョン受像機２０において、テレビジョン放送を視聴するための構成及び各部動作について説明する。
【００１４】
受信部２は、同調回路、復調回路、及び多重分離回路等から成り、アンテナ１から供給されるテレビジョン放送信号から、制御部４より出力される選局信号に応じた周波数の信号を抽出して復調し、映像信号と音声信号に分離して分離部３に出力する。分離部３は受信部２からの出力を入力とし、アンテナ１で受信するテレビジョン放送信号に重畳されているＥＰＧ（Ｅｌｅｃｔｒｏｎｉｃ  Ｐｒｏｇｒａｍ  Ｇｕｉｄｅ）を分離して制御部４に出力すると共に、分離後の映像信号を切替部９に出力する。
【００１５】
ＥＰＧには、番組名やチャンネル番号、放送日、放送曜日、及び放送時刻等が含まれており、制御部４から記憶手段に相当する記憶部５に蓄積される。記憶部５は、自由に内容を変更することができ、且つシステムの電源をＯＦＦしても蓄積した情報が消去されないよう例えばＮＶＲＡＭ（Ｎｏｎ−ｖｏｌａｔｉｌｅ  ＲＡＭ：不揮発性ＲＡＭ）で構成されている。
【００１６】
切替部９は、入力した映像信号を表示部１０へ送信するよう切り替える。表示部１０は、ＣＲＴ（Ｃａｔｈｏｄｅ  Ｒａｙ  Ｔｕｂｅ）等の表示デバイスとスピーカーからなるもので、切替部９から入力する映像信号を画面に表示すると共に、受信部２で分離された音声信号を入力してスピーカーから音声として出力する。
【００１７】
次に、テレビジョン受像機２０において、テレビジョン放送を予約録画するための構成及び各部動作について説明する。
【００１８】
記憶部５には視聴又は録画番組に関する予約リストが格納されており、制御部４は、一定時間毎（例えば１分毎）にこの予約リストの内容を読み、視聴予約又は録画予約が設定された番組の予約開始時間になると、予約設定されたチャンネル番号を受信するよう選局信号を受信部２へ送信する。
【００１９】
受信部２は、テレビジョン放送を視聴する場合と同様、アンテナ１から供給されるテレビジョン放送信号から、制御部４より出力される選局信号に応じた周波数の信号を抽出して復調し、映像信号と音声信号に分離して分離部３に出力する。分離部３は、テレビジョン放送信号から分離したＥＰＧを制御部４へ出力すると共に、映像信号を切替部９に出力する。
【００２０】
切替部９では、この映像信号を蓄積するよう蓄積部１１へ送信するよう切り替える。一方、予約設定された番組の予約終了時刻になると、制御部４は、受信部２に対してテレビジョン放送信号の受信をやめるよう指示すると共に、蓄積部１１に対しても録画動作を停止するよう指示して予約録画を終了する。
【００２１】
尚、蓄積部１１は、切替部９より送られてくる映像信号と受信部２で分離された音声信号を蓄積するもので、例えばハードディスクからなる。従って、蓄積部１１は、後から好きな順番で再生ができるようランダムアクセスが可能であり、更には一連の映像および音声信号を複数蓄積できるよう、十分な容量を持つものとする。また、蓄積部１１は、その記録媒体がテレビジョン受像機に対して着脱可能な構成にしても良い。
【００２２】
次に、蓄積部１１に蓄積した番組を再生する場合、切替部９は、制御部４からの制御に基づき、蓄積部１１に記録されている映像信号及び音声信号を入力して表示部１０に出力する。表示部１０では入力した映像信号を画面に表示すると共に、音声信号をスピーカーから音声として出力する。
【００２３】
以上の構成において、視聴又は録画したいテレビジョン放送番組を予約する場合に、予約時間が重複する際の視聴予約、又は録画予約の方法について更に図２〜図６を参照しながら説明する。
【００２４】
まず、ユーザーによる視聴又は録画の予約方法について説明する。記憶部５には、分離部３で分離されたＥＰＧが格納されており、制御部４は、このＥＰＧから図２に示す番組表を作成して表示部１０に表示する。１００は選択されている番組を示すカーソルで、リモコン７を用いて上下左右に移動させる。図２においては、タイトル８１の番組が選択されている状態を示している。
【００２５】
尚、リモコン７には、図示しない、カーソル１００や後述するスライダー２００（図６）の位置を移動するための左右上下の方向キーと選択決定を入力するための決定キーとが配設されているものする。
【００２６】
また、図２の番組表は、縦軸には放送時間、横軸にはチャンネル番号を各々示して格納されたＥＰＧの一部を表し、例えばタイトル４１の番組は、チャンネル番号が４の放送局で２０時００分から２１時００分までの間、放送されることを明示している。
【００２７】
ユーザーは、リモコン７を用いてカーソル１００を上下左右に移動させ、図２に示す番組表から視聴予約又は録画予約したい番組を選択する。ユーザーによって番組が選択され、視聴予約又は録画予約設定が行われると、制御部４は、記憶部５に格納されているＥＰＧから、ユーザーによって選択された番組の放送日、チャンネル番号、放送開始時間、放送終了時間を読み取り、更にユーザーが視聴予約を行ったのか、或いは録画予約を行ったのかを示し、第２のフラグに相当する視聴／録画フラグと共に予約リストに追加し、予約ＩＤを割り当てて登録し、記憶部５に記憶する。この予約ＩＤは、視聴予約番組又は録画予約番組を特定するための第１のフラグに相当する。
【００２８】
上記以外に、ユーザーによる視聴又は録画の各予約方法もある。例えば、ユーザーが視聴予約又は録画予約したい番組の放送日、チャンネル番号、予約開始時間、予約終了時間を、リモコンなどを用いて直接指定する方法である。この場合も、制御部４は、ユーザーによって入力されたこれらの情報を読み取り、更には視聴／録画フラグと共に予約リストに追加し、予約ＩＤを割り当てて登録し、記憶部５に記憶する。
【００２９】
次に、ユーザーによって、視聴予約又は録画予約を行なうために新たに選択された番組が、予約リストに予約登録済みの番組と予約時間が重複する際に行なう、視聴予約又は録画予約の予約リスト更新方法の概略的な流れ、及び制御装置４内の各部の動作について、図３に示すフローチャートを用いて説明する。
【００３０】
制御部４は、ユーザーから新たな視聴予約又は録画予約の指示があると、ステップＳ５０において、記憶部５に格納されている予約リストを読み込み、ステップＳ５１にて、ユーザーが新たに指定した番組の予約時間と、予約リスト内の番組の予約時間とが重複しないかを、予約時間重複検出部１５にて調査する。ステップＳ５２にて予約時間の重複する番組が見つからない場合は、ステップＳ６０にて、ユーザーから新たに予約指示された番組を、視聴／録画フラグと共に予約リストに追加してプログラムを終了する。一方、予約時間が重複する場合にはステップＳ５３へ進む。
【００３１】
ステップＳ５３では、ステップＳ５１において予約時間重複検出部１５で検出した予約時間の重複する番組情報を重複番組保持部１６に保持する。ステップＳ５４において、重複番組保持部１６に保持された番組情報をもとに、予約時間設定画面を表示部１０に表示する。ユーザーは、後述するように、表示部１０の画面を見ながらリモコン７を操作して予約時間の設定を行う。ステップＳ５５では、ユーザーによって設定された予約時間を読み取り部１７にて読み取った後、ステップＳ５６において、予約リストの内容を変更部１８にて変更する。
【００３２】
尚、制御部４は、予約時間設定画面を表示部１０に表示するための信号処理手段に相当し、また、リモコン７と共に、振分け時刻をユーザーによって設定するための調整手段にも相当する。
【００３３】
視聴番組又は録画番組の予約時間の重複を検出する方法について、図４の表を参照しながら具体的な例を用いてさらに詳しく説明する。図４の表は、記憶部５に格納されている予約番組の予約リストの一覧表である。
【００３４】
今、図４（ａ）に示すように、記憶部５に格納されている予約リストには、予約ＩＤを「１」として、１０月２５日に放送される８チャンネルのテレビジョン放送を２０時００分から２１時００分まで視聴するよう設定され、また予約ＩＤを「２」として、１０月２５日に放送される４チャンネルのテレビジョン放送を２２時００分から２２時３０分まで録画するように登録されている。
【００３５】
一方、図４（ｂ）は、ユーザーが新たに予約する番組が、図４（ａ）に示す格納済みの予約リストに登録されている番組と予約時間が重複したため、後述する変更方法によってその重複部分を解消した後に、更新された予約リストの内容を示すものである。
【００３６】
図５のフローチャートは、ユーザーが新たに予約する番組が、予約リストに登録済みの番組と予約時間が重複する場合に、制御装置４が行なう処理の流れを具体的に示すもので、以下に、このフローチャートに従って、予約リスト更新方法について詳細に説明する。
【００３７】
尚、記憶部５に、図４（ａ）に示す番組の予約リストが格納された状態において、ユーザーによって、新たに１０月２５日に６チャンネルで放送されるテレビジョン放送を２０時３０から２１時３０分まで録画するよう指示が行われた場合を想定して説明する。
【００３８】
以上のように、ユーザーによる新たな番組予約の指示があると、制御部４はステップＳ１００において、記憶部５に格納されている予約リストを読み出す。ステップＳ１０１において、予約リストに登録されている番組（以下、既予約済番組と記す）があるか調べ、１つもない場合はステップＳ１１０へと進み、ユーザーによって新たに視聴予約又は録画予約するよう指示された番組（以下、新規予約番組と記す。）の予約設定を行い終了する。本実施の形態１においては、既予約済番組が２つあるので、ステップＳ１０２へと進む。
【００３９】
ステップＳ１０２において、新規予約番組が既に予約リストに登録されているか否か調べる。新規予約番組が予約リストに登録されていればステップＳ１１１に進み、新規予約番組が既に予約リストに登録されているというメッセージを表示部１０に表示して終了する。実施の形態１においては、予約リストに新規予約番組は登録されていないので、ステップＳ１０３へと進む。
【００４０】
ステップＳ１０３において、新規予約番組と既予約済番組の予約時間の重複があるか否かを調べる。この時、予約リストに登録されている既予約済番組の内、新規予約番組と予約時間が重複する既予約済番組は一つと限らないため、既予約済番組全てと新規予約番組の予約時間の重複を調べる必要がある。
【００４１】
図４（ａ）に示すように、予約リストに登録されている予約ＩＤ「１」の既予約済番組の予約時間は２０時００分から２１時００分までであるため、新規予約番組とは２０時３０から２１時００分までの間、予約時間が重複している。そのためステップＳ１０３で、予約時間が重複していると判断し、ステップＳ１０４にてこの重複番組の予約ＩＤ「１」を覚える。このようにして予約ＩＤ「１」の既予約済番組との予約時間の重複の調査が終了した後、続いて予約ＩＤ「２」の既予約済番組との重複調査を行なう。
【００４２】
予約ＩＤ「２」の既予約済番組の予約時間は２２時００分から２２時３０分までのため、ステップＳ１０３にて新規予約番組と予約時間が重複していないと判断し、ステップＳ１０５へと進む。ステップＳ１０５では予約リストの最後まで調査したか否を判断し、最後まで調査が終了したと判断した後、ステップＳ１０６へと進む。
【００４３】
ステップＳ１０６において、新規予約番組と既予約済番組との間で予約時間の重複があったか否かを判断し、重複がない場合はステップＳ１１３へと進み、新規予約番組を予約リストに登録して終了する。実施の形態１においては、新規予約番組と予約ＩＤ「１」の既予約済番組の予約時間が重複していたため、ステップＳ１０７へと進み、重複番組の先に放送される番組の予約終了時間と、後に放送される番組の予約開始時間の設定を行う。
【００４４】
ステップＳ１０７において、予約時間の設定を行うための予約時間設定画面を表示部１０の画面に表示するが、その表示例を図６に示す。図６（ａ）はこの図を説明するためのもので、実際に表示部１０の画面に表示するのは図６（ｂ）、又は図６（ｃ）に示す画面である。図６（ｂ）は表示部１０に表示する最初の画面を示し、図６（ｃ）はユーザーによって予約時間の設定が行われた後の画面を示す。
【００４５】
図６（ａ）において、番組１は、重複する番組の内、先に視聴又は録画を開始する番組で、時間Ａ（予約開始時間）から時間Ｃ（予約終了時間）の間、視聴又は録画予約されている。また、番組２は、番組１より後に視聴又は録画が開始する番組で、時間Ｂ（予約開始時間）から時間Ｄ（予約終了時間）の間、視聴又は録画予約されている。
【００４６】
網掛け部分は、番組の実際に視聴又は録画される時間帯を表しており、点線部分は、番組の視聴又は録画されない時間帯を表している。更にスライダー２００は、先に視聴又は録画を開始する番組１の予約終了時間及び、後から視聴又は録画を開始する番組２の予約開始時間に相当する振分け時刻を設定するもので、ユーザーによって移動設定される。
【００４７】
次に、図６（ａ）、（ｂ）を用いて、表示部１０に表示する最初の画面について説明する。
【００４８】
今、ステップＳ１０４（図５）で予約時間の重複を検出した結果、予約ＩＤ「１」の既予約済番組と新規予約番組の予約時間が重複していた。既予約済番組と新規予約番組のそれぞれの予約開始時間を見ると、既予約済番組が先に放送され、新規予約番組は後から放送されることがわかる。図６（ａ）において、番組１は先に視聴又は録画を開始する番組としているため、番組１が既予約済番組となり、番組２が新規予約番組となる。
【００４９】
また、時間Ａは既予約済番組の予約開始時間（２０時００分）を示し、時間Ｂは新規予約番組の予約開始時間（２０時３０分）を示し、時間Ｃは既予約済番組の予約終了時間（２１時００分）を示し、時間Ｄは新規予約番組の予約終了時間（２１時３０分）をそれぞれ示す。このうち時間Ｂから時間Ｃの間で予約時間が重複しており、この間は既予約済番組と新規予約番組の両方の番組を同時に視聴或いは録画することができない。
【００５０】
そこでスライダー２００を表示し、リモコン７の方向キー（図示せず）を用いて、スライダー２００を左に移動（時間を戻す向き）させたり、右に移動（時間を進める向き）させたりすることによって、既予約済番組の予約終了時間と新規予約番組の予約開始時間を調整し設定する。この予約時間の設定を行うに当たって、放送番組の重要な部分がその時間帯の終わりの方にある場合が多いため、スライダー２００の初期位置を番組１の予約終了時間である時間Ｃに設定する。更に、実際に視聴又は録画される番組の時間帯が分かる様、前記したように網掛けと点線を施す。
【００５１】
また、図６（ａ）における「番組１」及び「番組２」の部分には、既予約済番組の「チャンネル８」及び新規予約番組の「チャンネル６」を表示する。更に、予約時間の重複している時間帯が一目で分かるよう、既予約済番組の予約終了時間である２１：００を画面上部に示すと同時に、新規予約番組の予約開始時間である２０：３０を同じく画面上部に示す。更にスライダー２００が示す振分け時刻がわかるようにその時間軸上の位置に相当する２１：００を表示する。以上の結果が図６（ｂ）に示す図であり、これを初期画面として表示部１０の画面に表示する。
【００５２】
ユーザーは、表示部１０の画面上に開いた、図６（ｂ）に示す予約時間設定画面によって予約番組の重複を確認し、「番組１」の予約終了時間と「番組２」の予約開始時間を調整したい場合は、リモコン７を用いてスライダー２００を移動させる。既予約済番組である「チャンネル８」の番組の予約を早めに終了し、新規予約番組である「チャンネル６」の番組の予約を早く開始したい場合は、スライダー２００を左に移動させる。
【００５３】
この時、スライダー２００が示す振分け時刻の変化がユーザーにわかるよう、図６（ｂ）において初期値として２１：００と表示されている時間情報をスライダー２００の移動位置に対応して変化させる。ユーザーは、スライダー２００の位置を移動させ、振分け時刻の設定を行う。以上のようにして、ユーザーによって既予約済番組の予約終了時間及び新規予約番組の予約開始時間に相当する振分け時刻を２０時４５分に設定した例を図６（ｃ）に示す。
【００５４】
続くステップＳ１０８において、制御部４は、今、ユーザーが設定したスライダー２００の位置である振分け時刻を読み取り、この時間情報から、既予約済番組の予約終了時間と、新規予約番組の予約開始時間を新たに設定し、予約リストの内容を更新する。予約リストの更新の際は、視聴又は録画が開始される順に登録する。それに伴って、視聴又は録画が開始される順に、予約ＩＤが新たに割り振られるよう設定される。
【００５５】
従って、ユーザーによって新たに設定された予約時間を受けて、最終的に更新された予約リストは図４（ｂ）に示すようになる。即ち、チャンネル番号「８」で予約開始時間が２０時００分の番組に対して予約ＩＤ「１」が割り振られ、チャンネル番号「６」で予約開始時間が２０時４５分の番組に対して予約ＩＤ「２」が割り振られ、そしてチャンネル番号「４」で予約開始時間が２２時００分の番組に対して予約ＩＤ「３」が割り振られる。
【００５６】
ステップＳ１０８にて予約開始時間と予約終了時間を更新した後、図５のフローチャートに示すプログラムは終了する。
【００５７】
スライダー２００は、図６（ａ）に示す予約時間の重複する時間Ｂと時間Ｃの間を移動し、それ以外の場所に移動しないための制御をする必要がある。この制御方法について、図７に示すフローチャートと図６（ａ）を用いて説明する。
【００５８】
ステップＳ１３０において、制御部４は、リモコン７からのコマンド情報が右方向キーの操作によるものか、或いは左方向キーの操作によるものかを判断する。右方向キー操作による場合はステップＳ１３１に進み、左方向キー操作による場合はステップＳ１４１へと進む。ステップＳ１３２では、スライダー２００の位置に応じてスライダー２００を移動するか否かが判断される。例えばスライダー２００が時間Ｃにあって、リモコン７からの指示通りそのままスライダー２００を右に移動させてしまうと、時間Ｂと時間Ｃの間を外れるため、スライダー２００の移動を止める必要がある。
【００５９】
そのため、スライダー２００の位置が時間Ｃにある場合には、リモコン７から右方向移動のコマンドを入力してもスライダー２００を動かさないよう、ステップＳ１３４へと進む。一方、スライダー２００が時間Ｂに位置する場合、同コマンドによってスライダー２００が時間Ｂと時間Ｃの間を移動することになるので、ステップＳ１３３に進みスライダー２００を右に移動させる。
【００６０】
一方、ステップＳ１３０にて、リモコンからの入力が左であった場合はステップＳ１４１へと進み、スライダー２００の位置に応じてスライダー２００を移動するか否かが判断される。例えばスライダー２００が時間Ｂにあって、リモコン７からの指示通りそのままスライダーを左に移動させてしまうと、時間Ｂと時間Ｃの間を外れるため、スライダー２００に移動を止める必要がある。
【００６１】
そのため、スライダー２００の位置が時間Ｂにある場合には、リモコン７から左方向移動のコマンドを入力してもスライダー２００を動かさないよう、ステップＳ１４４へと進む。一方、スライダー２００が時間Ｃに位置する場合、同コマンドによってスライダー２００が時間Ｂと時間Ｃの間を移動することになるので、ステップＳ１４３へと進みスライダー２００を左に移動させる。
【００６２】
以上のようにして、スライダー２００が時間Ｂと時間Ｃの間でのみ位置移動するように制御する。
【００６３】
更に、実施の形態１では、番組「１」の後半部分と番組「２」の前半部分の予約時間が重複する例を取り上げたが、この限りではない。その他の例を図８に示す。図８（ａ）に示す例は、番組「１」と番組「２」の予約時間が完全に一致する例である。この場合はスライダー２１０を表示し、リモコン７を用いてスライダー２１０を左右に移動させることによって、番組「１」の予約終了時間と番組「２」の予約開始時間の設定を行うことができる。
【００６４】
また図８（ｂ）に示す例は、番組「１」の予約時間が番組「２」の予約時間を完全に含む例である。この場合はスライダーをスライダー２１１，２１２のように複数表示し、リモコン７を用いてそれぞれのスライダーを左右に移動させることによって各番組の予約時間を設定できる。
【００６５】
更に、予約時間の重複は、３つ以上の番組の予約時間が重複する場合など、ここに図示した以外にも想定されるが、図６（ａ）、図８（ａ）、図８（ｂ）の例で説明した内容を組み合わせることによって、各重複番組の予約時間を設定できるので、ここでのそれらの説明は省略する。
【００６６】
尚、本実施の形態１において、予約設定画面の時間軸の向きを左から右に進むよう表示したが、逆に右から左に進むよう表示しても良い。この場合、図６（ａ）に示す番組「１」の予約終了時間を早くしたい場合は、スライダー２００を左に移動させればよい。更には時間軸を縦向きに表示しても良い。例えば下から上向きに時間が進むよう表示したならば、番組「１」の予約終了時間を早くしたい場合にはスライダー２００を下向きに移動させ、逆に上から下向きに時間が進むよう表示したならば、スライダー２００を上向きに移動させれば、番組「１」の予約終了時間を早くすることができる。
【００６７】
また本実施の形態１において、スライダーの初期位置を、番組「１」の予約終了時間（時間Ｃ）に設定したが、番組「１」と番組「２」の間で予約時間が重複する時間Ｂから時間Ｃの間であればどこに設定しても構わない。
【００６８】
また本実施の形態１において、図６（ａ）に示す番組「１」を先に視聴又は録画を開始する番組、番組「２」を後から視聴又は録画を開始する番組としたが、これに限るものではない。つまりは、番組「１」を後から視聴又は録画を開始する番組とし、番組２を先に視聴又は録画を開始する番組としても良い。更に、番組「１」を新規予約番組、番組「２」を既予約済番組として固定しても良いし、逆に番組「１」を既予約済番組、番組「２」を新規予約番組として固定しても良い。
【００６９】
また実施の形態１においては、スライダー２００（図６）の位置を左右に移動させることによって、振分け時刻の設定を行ったが、リモコン７（図１）の数字キーを用いて、時刻を直接指定する方法でもよい。
【００７０】
更に、実施の形態１における表示部１０で表示する番組表（図２）は、縦軸に放送時間、横軸にチャンネル番号をそれぞれ設定して構成しているが、これを、縦軸にチャンネル番号、横軸に放送時間をそれぞれ設定してもよい。また、表示部１０に表示する番組表は、記憶部５に格納されているＥＰＧの一部を表示するものとしたが、これを記憶部５に格納されているＥＰＧすべての情報を表示してもよいなど種々の態様を取り得るものである。
【００７１】
実施の形態２．
図９は、本発明によるテレビジョン受信機の実施の形態２の予約設定画面の表示方法の処理の流れを示すフローチャートである。
【００７２】
前記した実施の形態１においては、予約リストを更新するための予約設定画面を表示部１０（図１）に表示する際に、予約時間の重複する番組の、視聴又は録画する期間を、図６（ａ）に示すよう網掛け表示すように説明したが、本実施の形態では、視聴予約設定された期間と録画予約設定された期間とを、色を分けて表示するようにしたものである。
【００７３】
従って、図９に示すフローチャートは、テレビジョン受像機２０の制御部４が実行するもので、前記した図５のフローチャートのステップ１０６からステップ１０７に至るまでの間で行なわれる処理に相当するものである。
【００７４】
以下に、図１のブロック図、及び図４の表を参照しながらこのフローについて説明する。その際の初期条件として、記憶部５には前記した図４（ａ）に示す予約リストが登録され、新たに１０月２５日に６チャンネルで放送されるテレビジョン放送を２０時３０から２１時３０分まで録画するよう指示が行われた場合を想定して説明する。
【００７５】
表示部１０に、図１０に示す予約時間設定画面を表示する際に、ステップＳ１５０で、重複番組保持部１６に保持されている番組の予約ＩＤを読み取る。ここでは、新規予約番組と予約時間の重複する既予約済番組を示す予約ＩＤ「１」のＩＤ番号が重複番組保持部１６に保持されている。続くステップＳ１５１で、読み取った予約ＩＤと予約リストに登録されている番組の予約ＩＤとを照合し、予約ＩＤが一致するか否かの判断が行われる。予約ＩＤが一致した場合はステップＳ１５２へ進み、その予約ＩＤに相当する既予約済番組が視聴予約されているのか、或いは録画予約されているのかを調査する。
【００７６】
視聴予約されているか、又は録画予約されているかについては、予約リストの視聴／録画フラグを見ればよい。視聴予約されている場合は、予約時間設定画面において、視聴が実行される時間領域を「色１」で表示し（ステップＳ１５３）、録画予約されている場合は、録画が実行される時間領域を「色２」で表示する（ステップＳ１５４）。本実施の形態２においては、予約ＩＤ「１」の番組は、視聴予約設定されているので、図１０の予約時間設定画面に示すように「色１」で表示される。
【００７７】
ステップＳ１５３又はステップＳ１５４において色が設定された後、ステップＳ１５５に進み、重複番組保持部１６に保持されている予約ＩＤ番号が他にないか調べ、ない場合はステップＳ１５８へと進み、ある場合はステップＳ１５６へ進み、重複番組保持部１６に保持されている次の予約ＩＤ番号に相当する既予約済番組が視聴予約されているのか、或いは録画予約されているのかを調査する。
【００７８】
また、ステップＳ１５１において、重複番組保持部１６に保持された予約ＩＤと予約リストの予約ＩＤが一致しない場合は、ステップＳ１５７に進み、予約リストに登録されている次の番組の予約ＩＤと照合が行われ、予約リストに登録されている既予約済番組の予約ＩＤが、重複番組保持部１６に保持された予約ＩＤと一致するまで繰り返し行われる。
【００７９】
ここで、重複番組保持部１６に保持される予約ＩＤは、必ず予約リストに含まれる既予約済番組に対応する予約ＩＤであり、予約ＩＤの一致する番組が必ず検出されるため、ステップＳ１５１とステップＳ１５７との間で永久ループになることはない。
【００８０】
ステップＳ１５８では、ユーザーが新たに予約する新規予約番組が視聴予約なのか、或いは録画予約なのかの判断が行われる。視聴予約の場合は、予約時間設定画面において、視聴が実行される時間領域を「色１」で表示し（ステップＳ１５９）、録画予約されている場合は、録画が実行される時間領域を「色２」で表示する（ステップＳ１６０）。本実施の形態２においては、新規予約番組は録画するよう設定されているので、図１０の予約時間設定画面に示すように「色２」で表示される。
【００８１】
上述のようにして、図１０の予約時間設定画面に示すように、視聴予約又は録画予約を示す実行時間領域に「色１」又は「色２」を施し、この後、ユーザーによる振分け時刻の設定が行われるよう、前記した図５に示すフローチャートのステップＳ１０７へと進む。
【００８２】
尚、図１０の予約時間設定画面において、視聴予約と録画予約を色で識別できるよう表示するのであれば、当然ながら、「色１」と「色２」は異なる色にする必要がある。
【００８３】
更に、図９に示すフローチャートにおいては、先に既予約済番組の視聴／録画フラグを見た後、続いて新規予約番組の視聴／録画フラグを見るようにしたが、先に新規予約番組の視聴／録画フラグを見た後に、既予約済番組の視聴／録画予約フラグを見るようにしても良い。
【００８４】
以上のように、実施の形態２の予約設定画面の表示方法によれば、視聴予約又は録画予約の各実行される時間領域を色分け表示するので、ユーザーは、視聴予約か録画予約かの区別を一目で確認できるため、時間設定作業を、誤ることなく円滑に実行することができる。
【００８５】
実施の形態３．
図１２は、本発明によるテレビジョン受信機の実施の形態３の予約設定画面の表示方法の処理の流れを示すフローチャートである。
【００８６】
前記した実施の形態１においては、予約時間の設定を行うための予約設定画面を表示部１０（図１）に表示する際に、予約時間の重複する番組の、図６（ａ）の「番組１」及び「番組２」に対応する位置に、同図（ｂ）、（ｃ）のように各チャンネル番号を表記するように説明したが、本実施の形態３では、それぞれ番組のタイトルを表記するようにしたものである。
【００８７】
従って、図１２に示すフローチャートは、テレビジョン受像機２０の制御部４が実行するもので、前記した図５のフローチャートのステップ１０６からステップ１０７に至るまでの間で行なわれる処理に相当するものである。
【００８８】
以下に、図５に示すフローチャート、図１１に示す予約リストの一覧表、及び図１３に示す予約時間設定画面の表示例を参照しながらこのフローについて説明する。
【００８９】
図１１は、本実施の形態３における、視聴予約又は録画予約番組の予約リストの一覧表であり、前記した図４の一覧表に対して番組名の項が新しく設定されている。今この予約リストには、１０月２５日に８チャンネルで２０時００分から２１時００分まで放送され、番組名「タイトル８１」とした放送番組を視聴するよう、予約ＩＤ「１」として設定予約されていると共に、１０月２５日に４チャンネルで２２時００分から２２時３０分まで放送され、番組名「タイトル４３」とした放送番組を録画するよう、予約ＩＤ「２」として設定予約されているとする。
【００９０】
ここに、ユーザーから新たに、例えば１０月２５日に６チャンネルで放送され、番組名が「タイトル６２」としたテレビジョン放送を２０時３０から２１時３０分まで録画するよう指示が行われたとする。
【００９１】
この指示により、図５に示すプログラムが実行され、前記したようにステップＳ１０３で予約時間の重複が検出される。本実施の形態３においては、予約ＩＤ「１」の既予約済番組と、新規予約番組の間で、２０時３０分から２１時００分まで予約時間が重複しているので、ステップＳ１０４で、予約時間が重複した既予約済番組の予約ＩＤ「１」を覚える。続いてステップＳ１０６で予約時間の重複した番組があると判断され、ステップＳ１０７に進む前に、図１２に示すフローチャートの処理が行われる。
【００９２】
ステップＳ２００で、重複番組保持部１６に保持されている番組の予約ＩＤを読み取る。実施の形態３においては、新規予約番組の予約時間の重複する既予約済番組を示す予約ＩＤ「１」のＩＤ番号が重複番組保持部１６に保持されている。続くステップＳ２０１で、読み取った予約ＩＤと予約リストに登録されている番組の予約ＩＤと照合し、予約ＩＤが一致するか否かの判断が行われる。予約ＩＤが一致した場合はステップＳ２０２へ進み、予約リストからその予約ＩＤに相当する既予約済番組の番組名と予約開始時間および予約停止時間を読み取る。
【００９３】
続いてステップＳ２０３で、新規予約番組の番組名と予約時間を記憶部５に格納しているＥＰＧから読み取る。ステップＳ２０４では、ステップＳ２０２及びステップＳ２０３で読み取ったそれぞれの番組の予約開始時間を比較し、既予約済番組が先に視聴又は録画される場合は、図１３に示す予約時間設定画面において重複番組を表示する際に上になるように表示し（ステップＳ２０５）、一方、新規予約番組が先に視聴又は録画される場合は、この予約時間設定画面において重複番組を表示する際に上になるように表示する（ステップＳ２０６）。
【００９４】
実施の形態３においては、既予約済番組は２０時００分から視聴予約設定されており、２０時３０分から録画予約設定された新規予約番組よりも先に視聴されるようになっているので、ステップＳ２０５へと進み、上側が既予約済番組、下側が新規予約番組になるよう表示される。続くステップＳ２０７では、ステップＳ２０２およびステップＳ２０３で読み取ったそれぞれの番組名から、上側に「タイトル８１」を、下側に「タイトル６２」を表示する。
【００９５】
続くステップＳ２０８では、重複番組保持部１６に保持されている番組が他にないかを調べ、ない場合はこのプログラムは終了し、図５に示すフローチャートのステップＳ１０７へと進む。ある場合はステップＳ２０９へ進み、重複番組保持部１６に保持されている次の予約ＩＤ番号に相当する既予約済番組について、番組名や予約時間を同様に調査する。
【００９６】
また、ステップＳ２０１において、重複番組保持部１６に保持された予約ＩＤと予約リストの予約ＩＤが一致しない場合は、ステップＳ２１０に進み、予約リストに登録されている次の番組の予約ＩＤと照合が行われ、予約リストに登録されている既予約済番組の予約ＩＤが、重複番組保持部１６に保持された予約ＩＤと一致するまで繰り返し行われる。
【００９７】
ここで、重複番組保持部１６に保持される予約ＩＤは、必ず予約リストに含まれる既予約済番組に対応する予約ＩＤであり、予約ＩＤの一致する番組が必ず検出されるため、ステップＳ２０１とステップＳ２１０との間で永久ループになることはない。
【００９８】
図１２に示すフローチャートの処理が終わると、図５に示すフローチャートのステップＳ１０７へと進む。
【００９９】
ステップＳ１０７では、図１３に示す予約時間が重複した番組の各番組名が表示された予約時間設定画面が開く。ユーザーは、図１３に示すように番組名が具体的に表示された予約時間の設定画面から、スライダー２００を左右に移動させ、前記した振分け時刻の設定を行う。
【０１００】
ユーザーがスライダー２００を左右に移動させ、例えば既予約済番組である「タイトル８１」の番組を２０時４５分まで録画し、続いて新規予約番組である「タイトル６２」の番組を２０時４５分から録画を開始するよう指示した場合、制御部４はスライダー２００が指し示す振分け時刻２０時４５分を読み取り、予約リストの内容を更新する。その時の予約リストは図１１（ｂ）に示す通りとなる。
【０１０１】
以上のように、実施の形態３の予約設定画面の表示方法によれば、予約時間設定画面に番組名が表示されるので、ユーザーは視聴予約した番組名又は録画予約した番組名を確認しながら、視聴予約時間又は録画予約時間の設定を行うことができるため、設定作業を、誤ることなく円滑に実行することができる。
【０１０２】
尚、前記実施の形態では、本発明を、蓄積部を有する録画機能付のテレビジョン受像機に採用した場合を例にして説明したが、これに限定されるものではなく、例えば図１のブロック図において、蓄積部１１を別構成のＤ−ＶＨＳレコーダー、ＤＶＤレコーダー、ハードディスクレコーダー等の外部機器としてもよい。この場合、本体は本発明によるテレビジョン受像機となる。
【０１０３】
更に図１のブロック図において、表示部１０を別構成のディスプレイ等の外部機器としてもよい。この場合、本体は、本発明によるＤ−ＶＨＳレコーダーやＤＶＤレコーダー、ハードディスクレコーダーのようなＳＴＢ（Ｓｅｔ  Ｔｏｐ  Ｂｏｘ）構成となるなど、種々の態様を取り得るものである。
【０１０４】
【発明の効果】
本発明によれば、予約視聴又は予約録画したい番組の時間帯が重複する場合、これ等の番組の重複する部分の時間帯を適当に振分けて予約することが容易に行なえるため、各番組内容に応じて最適な予約時間の設定を速やかに実行することができる。
【図面の簡単な説明】
【図１】本発明による実施の形態１の録画機能付のテレビジョン受信機２０の構成を示すブロック図である。
【図２】本発明の実施の形態１による番組表の表示例を示す図である。
【図３】本発明の実施の形態１の予約時間の重複検出についての概要を説明するためのフローチャートである。
【図４】本発明の実施の形態１の記憶部５に格納されている予約番組の予約リストを示す図であり、（ａ）は変更前、また（ｂ）は変更後の予約リストである。
【図５】本発明の実施の形態１の予約時間の重複検出について具体的な例を用いて詳細を説明するためのフローチャートである。
【図６】本発明の実施の形態１による予約時間設定画面を示す図であり、（ａ）は説明のための構成図、（ｂ）は初期画面、また（ｂ）は変更後の画面をそれぞれ示す。
【図７】本発明の実施の形態１によるスライダーの制御を説明するためのフローチャートである。
【図８】本発明の実施の形態１による予約時間の重複の他の具体例を示す図である。
【図９】本発明の実施の形態２の予約設定画面の表示方法の処理の流れを示すフローチャートである。
【図１０】本発明の実施の形態２による視聴予約番組と録画予約番組を異なる色で表示した予約時間設定画面を示す図である。
【図１１】本発明の実施の形態３による予約番組の予約リストを示す図であり、（ａ）は変更前、また（ｂ）は変更後の予約リストである。
【図１２】本発明の実施の形態３による予約時間設定画面に番組タイトルを表示する処理を説明するためのフローチャートである。
【図１３】本発明の実施の形態３による予約時間の設定画面を示す図である。
【符号の説明】
１  アンテナ、  ２  受信部、  ３  分離部、  ４  制御部、  ５  記憶部、７  リモートコントローラ、  ８  受光部、  ９  切替部、  １０  表示部、１１  蓄積部、  １５  予約時間重複検出部、  １６  重複番組保持部、  １７  読み取り部、  １８  変更部、  ２０  テレビジョン受信機、  １００  カーソル、  ２００、２１１、２１２、２２０  スライダー。
【図１】
2004165963.tif 000003
【図２】
2004165963.tif 000004
【図３】
2004165963.tif 000005
【図４】
2004165963.tif 000006
【図５】
2004165963.tif 000007
【図６】
2004165963.tif 000008
【図７】
2004165963.tif 000009
【図８】
2004165963.tif 000010
【図９】
2004165963.tif 000011
【図１０】
2004165963.tif 000012
【図１１】
2004165963.tif 000013
【図１２】
2004165963.tif 000014
【図１３】
2004165963.tif 000015